(57)【特許請求の範囲】
【請求項１】
ゴルフボール放出装置付きゴルフカップであって、
ゴルフカップ（２）と、
前記ゴルフカップ（２）の中に収容され、ゴルフの旗竿（１）の下端部（Ａ）を、抜き差しすることができ、かつ差し込んだまま上下に動かすことができる可動部（Ｂ）と、
前記可動部（Ｂ）を上下方向に誘導する誘導部（Ｃ）と、
駆動部（Ｅ）と、
前記可動部（Ｂ）に接続され下方向作用力を前記駆動部（Ｅ）に伝達する伝達部（Ｄ）と、を備え、
前記駆動部（Ｅ）は、前記下方向作用力を上方向作用力に変え、
前記ゴルフボール放出装置付きゴルフカップは、
前記駆動部（Ｅ）から力を受けて上昇する上昇部（Ｆ）と、
前記上昇部（Ｆ）に接続して上昇する底板部（Ｇ）と、
下降した前記可動部（Ｂ）及び上昇した前記上昇部（Ｆ）が、元の位置に戻るように、前記可動部（Ｂ）、前記伝達部（Ｄ）、前記駆動部（Ｅ）、前記上昇部（Ｆ）及び前記底板部（Ｇ）のうち、いずれかの可動の部分を、弾性復元力により付勢する弾性体（Ｈ）と、をさらに備え、
前記駆動部（Ｅ）は、
回転軸を共通にし、かつ一緒に回転するように互いに結合した、相対的に小径の小滑車（７１）と相対的に大径の大滑車（７５）とを有する同心異径滑車（７１，７５）と、
前記同心異径滑車（７１，７５）を回転自在に軸支する滑車支持体（７４）と、
先端が前記伝達部（Ｄ）に接続され、基端が前記小滑車（７１）に接続され、かつ前記小滑車（７１）に巻回された第１の線状体（７０）と、
先端が前記上昇部（Ｆ）に接続され、基端が前記大滑車（７５）に接続され、かつ前記大滑車（７５）に、前記第１の線状体（７０）とは逆方向に、巻回された第２の線状体（７３）と、を含み、
ゴルフのグリーン上においてパッティングする際に、前記旗竿（１）を抜いてカップインさせることも可能であるとともに、前記旗竿（１）を刺しこんだままの状態でカップインさせた場合は、前記旗竿（１）を手で握って押し下げることで前記可動部（Ｂ）が下方向に押下げられ、前記駆動部（Ｅ）の作用で前記底板部（Ｇ）が上昇し、カップインしたゴルフボール（５１）を地上付近まで押し上げ排出し、その後前記旗竿（１）から手を離すと前記弾性体（Ｈ）の前記弾性復元力により、前記可動部（Ｂ）、前記上昇部（Ｆ）、前記旗竿（１）、及び前記底板部（Ｇ）が元の位置に戻るという機能を有する、ゴルフボール放出装置付きゴルフカップ。
【請求項２】
台座（８１）をさらに備え、
前記誘導部（Ｃ）は筒状であり、かつ前記台座（８１）に立設されており、
前記可動部（Ｂ）は筒状であり、前記誘導部（Ｃ）に案内されつつ上下に可動なように、前記誘導部（Ｃ）の内側空洞に収容され、
前記可動部（Ｂ）は、その内側空洞に前記旗竿（１）の下端部（Ａ）を受け入れ可能である、請求項１に記載のゴルフボール放出装置付きゴルフカップ。
【請求項３】
前記伝達部（Ｄ）は、前記可動部（Ｂ）から径方向外方に突出する突出部（８９）を有し、
前記第１の線状体（７０）の前記先端は、前記突出部（８９）に接続され、
前記誘導部（Ｃ）は、前記突出部（８９）が上下にスライド可能なように挿通される縦方向のスリット（８３）を有する、請求項２に記載のゴルフボール放出装置付きゴルフカップ。
【請求項４】
前記上昇部（Ｆ）は、筒状の上昇部本体（７６）を有し、
前記上昇部本体（７６）は、前記誘導部（Ｃ）に案内されつつ上下に可動なように、前記誘導部（Ｃ）の径方向外側に配置され、
前記上昇部本体（７６）は、前記突出部（８９）が上下にスライド可能なように挿通される縦方向の別のスリット（８５）を有する、請求項３に記載のゴルフボール放出装置付きゴルフカップ。
【発明の詳細な説明】
【技術分野】
【０００１】
ゴルフカップの中に入ったゴルフボールを、旗竿を押し下げることで地上に排出し、その後手を離すと元の位置に戻るゴルフボール放出装置付きゴルフカップに関する。
【背景技術】
【０００２】
２０１９年よりゴルフのルールが改正され、旗竿を抜かずにパターが行えるようになった。その際に旗竿を抜かずにカップインしたボールを手で拾いあげることになるが、旗竿が邪魔になり非常に取り出しにくい。取り出しにくい状況で、無理に拾い上げると、カップ周りのエッジ（芝）に指やボールがこすれてしまいエッジ（芝）を痛めて、プレーに大きな影響を及ぼすことになる。このことは、昨今の大変重大な課題になっている。なお、本願発明に関連する先行技術文献として、特許文献１及び特許文献２が知られる。
【先行技術文献】
【特許文献】
【０００３】
【特許文献１】米国特許第１４０２０２６号公報
【特許文献２】米国特許出願公開第２０１８／０２０７４９６号公報
【発明の概要】
【発明が解決しようとする課題】
【０００４】
本願発明は、旗竿を抜かずにカップインしたボールを容易に地上に排出できる技術を提供することを目的とする。
【課題を解決するための手段】
【０００５】
従来通り旗竿を抜いてゴルフカップとして使用することも可能であるが、旗竿を刺したままの状態で、旗竿を手で握って押し下げると、その力で駆動部が作用してカップの底板部が地上まで押し上げられ、カップの中に入っていたゴルフボールを地上に排出し、その後手を離すと元の位置に戻ることができる機能を有するゴルフボール放出装置付きゴルフカップを使用することで解決することができる。
【発明の効果】
【０００６】
従来通り旗竿を抜いてゴルフカップとして使用することも可能であるが、旗竿を刺したままの状態で、旗竿を手で握って押し下げるだけで簡単に、カップの中に入っていたゴルフボールを地上に排出して、その後手を離すと元の位置に戻るゴルフボール放出装置付きゴルフカップを使用するので、カップ周りのエッジ（芝）を痛めることが無く、また、高齢の方など深く屈んでボールを拾いあげる動作が不要になり足腰にも負担がなく健康にも良い。
本発明の目的、特徴、局面、及び利点は、以下の詳細な説明と添付図面とによって、より明白となる。              
【図面の簡単な説明】
【０００７】
【図１】図１Ａ及び図１Ｂは、本発明のゴルフボール放出装置付きゴルフカップの構成を例示する透視図であり、図１Ａは、ゴルフボールがカップインした状態を表し、図１Ｂは、ゴルフボールを排出した状態を表している。
【図２】図２は、本発明のゴルフボール放出装置付きゴルフカップの平面図である。
【図３】図３は、本発明の一実施の形態である歯車式のゴルフボール放出装置付きゴルフカップの断面図である。
【図４】図４Ａ〜図４Ｃは、本発明の一実施の形態である歯車式のゴルフボール放出装置付きゴルフカップの歯車式駆動部の各部の構成を例示する斜視図であり、図４Ａは底板部を表し、図４Ｂはカバーボックスを表し、図４Ｃはラック、ピニオン、歯車を表している。
【図５】図５Ａ〜図５Ｃは、本発明の別の実施の形態によるゴルフボール放出装置付きゴルフカップの油圧式駆動部の各部の構成を例示する斜視図であり、図５Ａは底板部を表し、図５Ｂは可動部と伝達部を表し、図５Ｃはピストン、繋ぎパイプ、油圧筒を表している。
【図６】図６Ａ及び図６Ｂは、本発明のさらに別の実施の形態であるマジックハンド式のゴルフボール放出装置付きゴルフカップの構成を例示する断面図であり、図６Ａは、ゴルフボールがカップインした状態を表し、図６Ｂは、ゴルフボールを排出した状態を表している。
【図７】図７は、本発明のさらに別の実施の形態である滑車式のゴルフボール放出装置付きゴルフカップの構成について、駆動する前の状態を例示する斜視図である。
【図８】図８は、図７に例示する実施の形態の構成について、駆動してゴルフボールを排出する状態を例示する斜視図である。
【図９】図９は、図７に例示する実施の形態の構成について、駆動前の状態を例示する正面図である。
【図１０】図１０は、図７に例示する実施の形態の構成について、駆動前の状態を例示する側面図である。
【図１１】図１１は、図７に例示する実施の形態の構成について、駆動してゴルフボールを排出する状態を例示する縦断面図である。
【図１２】図１２は、図７に例示する実施の形態の構成について、駆動前の状態を例示する縦断面図である。
【発明を実施するための形態】
【０００８】
本願発明のゴルフボール放出装置付きゴルフカップは、ゴルフカップ２に旗竿1の下端部Ａを差し込む可動部Ｂと、その可動部Ｂを垂直に上下誘導する誘導部Ｃと、可動部Ｂの下方向作用力を伝達する伝達部Ｄと、その下方向作用力を上方向作用力に変える駆動部Ｅと、駆動部Ｅから力を受けて上昇する上昇部Ｆと、上昇部Ｆに緊結して上昇する底板部Ｇと、可動部Ｂを元の位置に戻す力を持つ弾性体Ｈを備え、旗竿1をゴルフカップ２に刺したままの状態で、旗竿1を押し下げることで底板部Ｇが上昇し、カップインしたゴルフボール51を地上付近まで押し上げることができ、手を離すと弾性体Ｈにより元の位置に戻ることができる機能を有する。
【０００９】
図１Ａ及び図１Ｂを参照しつつ、本発明のゴルフカップの構成を説明する。従来通り旗竿１を抜いて使用することも可能であるが、旗竿1を刺したままの状態で、カップインしたゴルフボール51を容易に地上に排出できる機能を備えている。先ず、旗竿1の下端部Ａを可動部Ｂに差し込み、差し込んだままの状態で、旗竿1を手で握って約5センチメートル下へ押し込む。連動して可動部Ｂは誘導部Ｃの中を垂直に約5センチメートル下げられる。可動部Ｂに緊結している伝達部Ｄも約5センチメートル下げられ、伝達部Ｄから受けた下方向作用力を駆動部Ｅにて上方向作用力に変えられる。駆動部Ｅから上方向力を受けて上昇部Ｆは約11センチメートル上昇する。一般に設置されているカップの底板部Ｇの深さは約10センチメートルなので、上昇部Ｆに緊結して上昇する底板部Ｇがカップインしたボールを地上（芝面）より少し上まで押し上げる。底板部Ｇの断面は傘状に傾斜が付いているので押し上げられたゴルフボール51は地上（芝面）に転がり落ちる。その後、押し込んでいた手をゆっくり離すと、可動部Ｂの下に配置された弾性体Ｈの復元力で可動部Ｂが押し上げられて、旗竿1、底板部Ｇは元の位置に戻る。
【００１０】
上記の説明で旗竿1を約5センチメートル下げる、としているが、駆動部Ｅや弾性体Ｈの力加減で5センチメートルに限らなくても良い。底板部Ｇが地上（芝面）より少し上まで上昇すれば良い。約5センチメートルとしているのは、大きな力を必要とせず容易で手頃な距離と考えられるからである。深過ぎるとカップ本体の大きさも長くなってしまい設置に負担がかかる。逆に浅過ぎると、駆動部Ｅの動作に無理が生じて故障しやすく、弾性体Ｈの復元力も大きくなり、旗竿1を押し込む力も大きくなってしまうので加減が必要である。
【００１１】
本発明のゴルフカップは、錆びにくい金属製であるが、樹脂製としても良い。また誘導部Ｃについては、筒状であるが、棒状を周りに配置したものでも良い。要は、可動部Ｂを垂直に上下誘導して弾性体Ｈの動きに支障をきたさず、可動部Ｂから伝達部Ｄを通じて駆動部Ｅに作用力を負担なく伝えられれば良い。  
【００１２】
（実施の形態１）歯車式
図３及び図４Ａ〜図４Ｃに例示する本発明の実施の形態１によるゴルフボール放出装置付きゴルフカップでは、駆動部Ｅは伝達部Ｄに接続された内ラックと、内ラックと連動する内ピニオンと、内ピニオンの駆動により歯車を経て駆動する外ピニオンと、外ピニオンと連動する上昇部Ｆである外ラックを備えている。歯車式である実施の形態１として、伝達部Ｄに緊結された内ラック20が可動部Ｂと連動して約5センチメートル下方向に下げられる。内ラック20に接している内ピニオン21が比率1.0で回転する。連動して歯車22、23、24、小歯車25が回転する。小歯車25と一体になっている外ピニオン26が比率2.2で内ピニオン21と同じ方向に回転する。外ピニオン26に接している上昇部Ｆである外ラック27が約11センチメートル上昇する。外ラックガイド28は、外ラック27を垂直に可動させるためのものである。また、駆動部Ｅの各ピニオンや各歯車を固定するカバーボックス30は、駆動部Ｅが雨水や細かい土から歯車部を保護し悪影響を与えさせない役目も果たしている。次に外ラック27の上昇で底板部Ｇが地上まで約11センチメートル押し上げられ、ゴルフボールを地上（芝の上）に排出する。その後、旗竿1から手を離すと弾性体Ｈの復元力にて可動部Ｂが押し上げられて前記と逆の作用をして、底板部Ｇと旗竿1が元の位置に戻る。押し込む可動範囲を約5センチメートルに設定しているので、それ以上可動しないように誘導部Ｃに伝達部Ｄを誘導するガイドレール３の長さを定めている。
【００１３】
（実施の形態２）油圧式
図５Ａ〜図５Ｃに例示する本発明の実施の形態２によるゴルフボール放出装置付きゴルフカップでは、駆動部Ｅは伝達部Ｄに接続された内ピストンと、内ピストンが作用する内油圧筒と、内油圧筒から繋ぎパイプを経て外油圧筒があり、外油圧筒に作用する上昇部Ｆである外ピストンを備えている。駆動部Ａの油圧式である実施の形態２として、伝達部Ｄに緊結された内ピストン40が可動部Ｂと連動して約5センチメートル下方向に下げられる。内油圧筒41の油が内ピストン40によって圧縮され、繋ぎパイプ42を通って、外油圧筒43に流れ込む。この時、内油圧筒41と外油圧筒43の油体積比率は1：2.2となっている。次に外油圧筒43に油が入り込み中の上昇部Ｆである外ピストン44が11センチメートル上昇する。外ピストン44の上昇で底板部Ｇが地上まで約11センチメートル押し上げられ、ゴルフボールを地上（芝の上）に排出する。その後、旗竿1から手を離すと弾性体Ｈの復元力にて可動部Ｂが押し上げられて前記と逆の作用をして、底板部Ｇと旗竿1が元の位置に戻る。押し込む可動範囲を約5センチメートルに設定しているので、それ以上可動しないように誘導部Ｃに伝達部Ｄを誘導するガイドレール３の長さを定めている。
【００１４】
（実施の形態３）マジックハンド式
図６Ａ及び図６Ｂに例示する本発明の実施の形態３によるゴルフボール放出装置付きゴルフカップでは、駆動部Ｅは伝達部Ｄの作用で駆動するテコと、テコの駆動により上昇する上昇部Ｆであるマジックハンドを備えている。駆動部Ａがマジックハンド式である実施の形態３では、伝達部Ｄが可動部Ｂと連動して約5センチメートル下方向に下げられる。その力を受けて駆動部Ｅのテコ60が回転する。テコ60の回転に連動して縮んでいた上昇部Ｆであるマジックハンド61が伸びる。その力で底板部Ｇが地上まで約11センチメートル押し上げられ、ゴルフボールを地上（芝の上）に排出する。その後、旗竿1から手を離すと弾性体Ｈの復元力にて可動部Ｂが押し上げられて前記と逆の作用をして、底板部Ｇと旗竿1が元の位置に戻る。押し込む可動範囲を約5センチメートルに設定しているので、それ以上可動しないように誘導部Ｃに伝達部Ｄを誘導するガイドレール3の長さを定めている。
【００１５】
いずれの駆動部Ａも図２のように平面的に３箇所存在しており、底板部Ｄをバランス良く上昇させる。バランスが良ければ２箇所としても良い。
【００１６】
（実施の形態４）滑車式
図７〜図１２は、本発明の実施の形態４によるゴルフボール放出装置付きゴルフカップを例示している。図示の例では、筒状のカップ２の内側空洞の底部に、台座８１が設置されている。図示の例では、台座８１は、カップ２の下端部にネジ止めにより固定されている。図７〜図１０には、台座８１の外周壁に螺合するネジの頭部が表されている。台座８１には、筒状の誘導部Ｃが立設されている。誘導部Ｃの内側空洞には、誘導部Ｃに誘導すなわち案内されつつ上下に可動な可動部Ｂが収容されている。図示例では、可動部Ｂも筒状であり、それにより旗竿１の下端部Ａを、内側空洞に受け入れ可能となっている。可動部Ｂには、伝達部Ｄが接続されている。図示例では、伝達部Ｄは、筒状の可動部Ｂを径方向に貫通する棒状体である。図示例では、筒状の可動部Ｂの内側空洞に受け入れられた旗竿１の下端部Ａは、下端部Ａの径方向外方に張出した張出部（図３参照）が、可動部Ｂの上端縁に当接することにより、制止される。伝達部Ｄが可動部Ｂとともに上下に移動可能なように、筒状の誘導部Ｃには、棒状の伝達部Ｄがスライド可能に挿通されるスリット８３が縦方向に延びている。
【００１７】
図示例では、筒状の誘導体Ｃの径方向外側には、上昇部Ｆの本体部であって、誘導部Ｃに案内されつつ上下に可動な筒状の上昇部本体７６が、配置されている。筒状の上昇部本体７６にも、棒状の伝達部Ｄとの干渉を避けるように、縦方向に延びるスリット８５が設けられている。上昇部本体７６の頂部には、底板部Ｇが接続されている。
【００１８】
図示例では、台座８１に、一対の滑車支持体７４が更に立設されている。一対の滑車支持体７４は、誘導部Ｃを挟む位置、すなわち誘導部Ｃの径方向外側にあって、誘導部Ｃの中心軸に対して対称な位置に設置されている。滑車支持体７４の各々には、同心異径滑車７１，７５が、回転自在に軸支されている。同心異径滑車７１，７５は、相対的に小径の滑車である小滑車７１と、相対的に大径の滑車である大滑車７５とを有している。小滑車７１と大滑車７５とは、互いに回転軸を共通にし、かつ一緒に回転するように互いに結合している。小滑車７１と大滑車７５とは回転軸を通じて互いに結合していても良く、他の何らかの部材を通じて互いに結合していても良い。例えば、互いにネジ止めされることにより、結合していてもよい。あるいは、接着剤、溶接等により互いに結合していてもよい。また、図示例のように、小滑車７１と大滑車７５とは、一体に加工又は成型されていてもよい。本願において、「同心異径滑車」とは、かかる広い意味で用いている。
【００１９】
小滑車７１には、線状体７０の基端が接続され、この基端を起点として線状体７０が巻回されている。線状体７０の先端は、伝達部Ｄの端部に接続されている。伝達部Ｄの端部は、可動部（Ｂ）の側壁から径方向外方に突出する突出部８９に相当する。このようにして、伝達部Ｄの両端部、すなわち一対の突出部８９には、一対の線状体７０の先端が接続されている。大滑車７５には、線状体７３の基端が接続され、この基端を起点として線状体７３が巻回されている。線状体７３は、線状体７０とは逆方向に巻回されている。線状体７３の先端は、上昇部本体７６の側壁から径方向外方に突出する接続部７２に接続されている。接続部７２は、上昇部Ｆの一部である。一対の接続部７２は、上昇部本体７６の中心軸に対して対称な位置に設置されており、それらには一対の線状体７３の先端が接続されている。小滑車７１から垂れ下がる線状体７０の先端の位置と、大滑車７５から垂れ下がる線状体７３の先端の位置とは、誘導部Ｃの中心軸の周りの位置、すなわち周方向の位置が異なる。それに対応して、伝達部Ｄの両端部すなわち一対の突出部８９の位置と、一対の接続部７２の位置とは、周方向の位置が異なっている。図示例では、線状体７０，７３は金属ワイヤーである。
【００２０】
図示例では、弾性体Ｈは、台座８１と上昇部Ｆとに接続されている。図示例では、弾性体Ｈは、引張コイルバネであり、その下端は台座８１に接続され、上端は上昇部本体７６から径方向外方に突起した接続部８７に接続されている。接続部８７は、上昇部Ｆの一部である。それにより、上昇部Ｆは、上昇した位置から元の位置に下降するように、弾性体Ｈの弾性復元力によって付勢されている。図示例では、一対の弾性体Ｈが、上昇部Ｆの中心軸に対して対称な位置に配置されている。
【００２１】
図示例のゴルフボール放出装置付きゴルフカップは、以上のように構成されるので、以下のように機能する。旗竿1を可動部Ｂに差したままの状態で、旗竿1を例えば5ｃｍ押し下げると、可動部Ｂに接続されている伝達部Ｄが５ｃｍ下がる。その結果、伝達部Ｄに接続されている線状体70が引き下げられ、線状体70に接続されている駆動部Ｅの小滑車71が回転する。小滑車71には大滑車75が結合しており、このため同時に大滑車75が回転する。大滑車75に接続されている線状体73が大滑車75に巻き取られることにより、線状体73の下端部に、接続部72を通じて接続されている上昇部Ｆと、上昇部Ｆの頂部に接続された底板部Ｇとが、例えば12ｃｍ上昇する。これにより、ゴルフボールがホールの外に排出される。
【００２２】
ゴルフボールを排出した後、旗竿1から手を離すと、弾性体Ｈの弾性復元力により、上昇部Ｆ及び底板部Ｇが、引き下げられる。その結果、接続部72に接続されている線状体73が引き下げられ、大滑車75及び小滑車71が回転する。それにより、線状体70が巻き上げられ、伝達部Ｄと可動部Ｂと旗竿1とが、元の位置に上昇する。
【００２３】
図７〜図１２では、弾性体Ｈとして、上昇部Ｆに接続され、引張コイルバネのように、弾性復元力により張力を発揮する弾性体を例示した。これに対し、図１等に例示されるように、弾性体Ｈとして、可動部Ｂの底に設置され、圧縮コイルバネのように、弾性復元力により反発力を発揮する弾性体を採用してもよい。この場合であっても、可動部Ｂが弾性体Ｈにより元の位置に押し上げられるときには、大滑車７５に巻回された線状体７３は、大滑車７５が回転することにより繰り出されるので、上昇部Ｆ及び底板部Ｇは、自重により元の位置に下降する。一般に、弾性体Ｈは、下降した前記可動部Ｂ及び上昇した前記上昇部Ｆが、元の位置に戻るように、可動部Ｂ、伝達部Ｄ、駆動部Ｅ、上昇部Ｆ、及び底板部Ｇのうち、いずれかの可動の部分を、弾性復元力により付勢するものであれば良い。このことは、可動部Ｂから底板部Ｇまでの各要素の可動の部分が、互いに連動するように連結していることから、弾性体Ｈが可動部Ｂを付勢する実施の形態１〜３の記載のみからも、当業者には自明である。
また、線状体７０，７３として、金属ワイヤー以外の線状体、例えばロープ、糸、鎖などを採用してもよい。一般に、線状体７０，７３は、しなやかに屈曲ないし湾曲可能な長尺体であれば足り、例えば帯状の長尺体であってもよい。本願において、「線状体」は、かかる広い意味で用いている。
【００２４】
本発明の弾性体Ｈとして、スプリングとしているが、板バネやゴム製品を使用しても良い。
【００２５】
上昇する底板部Ｇは、平面的にドーナツ状で断面は傘状に傾斜しており、地上（芝面）より少し上まで上昇すれば、傾斜に沿ってゴルフボールは地上（芝の上）に転がり落ちる。従って片手での操作だけで、カップのエッジ周り（芝）を傷付ける事なく地上へ放出することが可能である。また、底板部Ｇの素材を金属製にすると、ゴルフボールがカップインしたときの音も従来通りに再現可能である。
【００２６】
雨水や細かい土が入っても、底板部Ｇの外周半径はカップ２より5ミリ程度小さく、カップ2との間に隙間を設けていると共に、水抜き孔を数ヶ所備え穴が施されている。旗竿1を差し込む可動部Ｂの底や、誘導部Ｃの底部や、カップ２の底にも水抜き穴17が配置されており、地中に排出される。
【００２７】
本発明のゴルフカップ２は一般に出回っている旗竿1、旗竿1の下端部Ａを使用することが可能なサイズであり、カップの外径も従来通りでこれも一般に出回っているホールカッターを使用して簡単に装着できる。
【００２８】
本発明のゴルフカップは手動式で簡単な構造なので、耐久性が良く、故障も起こりにくい。錆びにくい金属製であるが、各機能を有するならば樹脂製としても良い。本発明は安価に大量生産も可能である。
【００２９】
本出願は、2019年4月15日に日本国に出願された特願2019- 77316号に基づくものであり、その全内容は参照により本出願に組み込まれる。特願2019- 77316号は、日本特許第6604563号として既に特許されており、その特許権は、日本特許庁への移転の手続により、現在において本願の出願人に所有されている。
【００３０】
本発明の特定の実施の形態についての上記説明は、例示を目的として提示したものである。それらは、網羅的であったり、記載した形態そのままに本発明を制限したりすることを意図したものではない。数多くの変形や変更が、上記の記載内容に照らして可能であることは当業者に自明である。                                                              
【符号の説明】
【００３１】
1  旗竿
Ａ  旗竿の下端部（旗竿１の底にあるソケット）
Ｂ  可動部（旗竿１の下端部Ａを差し込み可動する部分）
Ｃ  誘導部（可動部Ｂを垂直に上下誘導する部分）
Ｄ  伝達部（可動部Ｂに緊結して下方向力を駆動部Ｅに伝達する部分）
Ｅ  駆動部（下方向力を上方向力に変えて上昇部Ｆに伝達する部分）
Ｆ  上昇部（駆動部Ｅの上方向力を受けて上昇する部分）
Ｇ  底板部（ドーナツ型で表面は傘状に傾斜が付いている）
Ｈ  弾性体
２  ゴルフカップ
３  伝達部Ｄの上下可動範囲を制限するガイドレール
４  水抜き穴
20  内ラック
21  内ピニオン
22  歯車
23  歯車
24  歯車
25  小歯車
26  外ピニオン
27  外ラック
28  外ラックガイド
29  底板緊結物
30  カバーボックス
40  内ピストン
41  内油圧筒
42  繋ぎパイプ
43  外油圧筒
44  外ピストン
60  テコ
61  マジックハンド部
62  支点（固定点棒）
50  ゴルフカップのエッジ周り（芝）
51  ゴルフボール  
70  線状体（第１の線状体）
71  小滑車
72  接続部
73  線状体（第２の線状体）
74  滑車支持体
75  大滑車
76  上昇部本体
81  台座
83  スリット
85  スリット
87  接続部
89  突出部
【要約】
開示されるゴルフボール放出装置付きゴルフカップは、ゴルフカップと、ゴルフの旗竿の下端部を、抜き差し可能であり、かつ差し込んだまま上下に可動な可動部と、その可動部を上下方向に誘導する誘導部と、誘導部の中で押し下げられた可動部を、元の位置に戻す力を有し、可動部の底に設けられた弾性体と、可動部に接続され下方向作用力を駆動部に伝達する伝達部と、その下方向作用力を上方向作用力に変える駆動部と、駆動部から力を受けて上昇する上昇部と、上昇部に接続して上昇する底板部と、を備え、旗竿を刺しこんだままの状態でカップインさせた場合は、旗竿を手で握って押し下げることで可動部が下方向に押下げられ、駆動部の作用で底板部が上昇し、カップインしたゴルフボールを地上付近まで押し上げ排出し、その後旗竿から手を離すと弾性体の反発力により、可動部が押し上げられて、旗竿と底板部が元の位置に戻る、という機能を有する。【図１】
0006831158.tif 000002
【図２】
0006831158.tif 000003
【図３】
0006831158.tif 000004
【図４】
0006831158.tif 000005
【図５】
0006831158.tif 000006
【図６】
0006831158.tif 000007
【図７】
0006831158.tif 000008
【図８】
0006831158.tif 000009
【図９】
0006831158.tif 000010
【図１０】
0006831158.tif 000011
【図１１】
0006831158.tif 000012
【図１２】
0006831158.tif 000013